(57)【要約】【課題】本発明は簡単な操作によって注入準備ができ、注入準備ができた後、注入具の薬液を人の特定体内孔へ注入して使用でき、他人の手助けを借りることなく操作でき、一度使用した場合には再び再利用できないような構造とし、もって病気の感染や衛生面が充分に考慮された体内孔注入具を提供することを目的とする。【解決手段】本発明による体内孔注入具は、円筒パイプ状をなす挿入体と、挿入体の内部空間に設けられた液剤充填用の充填空間部と、を有する器具本体と、充填された液剤を注入孔から送出可能とした送出杆と、を備え、注入孔には密閉栓が取り付けられて連通する充填空間部が真空密閉されてなると共に、密閉栓には離脱操作片が一体接続され、離脱操作片の操作により真空密閉状態を解除可能とし、充填空間部と送出杆との間には注入孔側方向への移動のみを可能とした仕切片を介在したことを特徴とする。【選択図】    図１
2018057574.tif 000002
【特許請求の範囲】
【請求項１】
外部開口を有する体内孔に挿入し、液剤を体内に注入可能とした体内孔挿入用の注入具であり、
先端部に注入孔が設けられた円筒パイプ状をなす挿入体と、前記挿入体の内部空間に設けられ、前記注入孔と連通する、液剤充填用の充填空間部と、を有する器具本体と、
前記充填空間部内で長手方向に向かい移動自在に取り付けられ、前記充填空間部に充填された前記液剤を前記注入孔から送出可能とした送出杆と、
を備え、
前記注入孔の外部側開口には、離脱可能にした密閉栓が取り付けられて、外部と連通する充填空間部が真空密閉されてなると共に、該密閉栓には離脱操作片が一体接続され、該離脱操作片の操作により前記密閉栓を注入孔から離脱させ、前記充填空間部の真空密閉状態を解除して前記送出杆の移動動作を可能とし、
体内孔挿入時には、前記器具本体を、注入孔が上方側となるよう略垂直方向に保持して挿入し、前記送出杆を注入孔側に押圧して液剤を注入孔から送出してなり、
前記充填空間部と送出杆との間には注入孔側方向への移動のみを可能とした仕切片を介在させた、
ことを特徴とした体内孔注入具。
【請求項２】
外部開口を有する複数の体内孔に挿入可能とされ、前記外部開口を介して液剤を体内に注入可能とした体内孔挿入用の注入具であり、
略円錐形状に形成された先端部にノズル状の注入孔が設けられた円筒パイプ状をなす挿入体と、前記挿入体の内部空間に設けられ、前記注入孔と連通する、液剤充填用の充填空間部と、を有する器具本体と、
前記充填空間部内で長手方向に向かい移動自在に取り付けられ、前記充填空間部に充填された前記液剤を前記注入孔から送出可能とした送出杆と、
を備え、
前記注入孔の外部側開口には、離脱可能にした密閉栓が取り付けられて、外部と連通する充填空間部が真空密閉されてなると共に、該密閉栓には離脱操作片が一体接続され、該離脱操作片の操作により前記密閉栓を注入孔から離脱させ、前記充填空間部の真空密閉状態を解除して前記送出杆の移動動作を可能とし、
体内孔挿入時には、前記器具本体を、注入孔が上方側となるよう略垂直方向に保持して挿入し、前記送出杆を注入孔側に押圧して液剤を注入孔から送出してなり、
前記充填空間部と送出杆との間には注入孔側方向への移動のみを可能とした仕切片を介在させた、
ことを特徴とした体内孔注入具。
【発明の詳細な説明】
【技術分野】
【０００１】
本発明は、薬液や潤滑剤など薬液の注入具に係り、特に、内部に設けられた充填空間部に予め充填した所定の薬液を人の特定体内孔に注入できる体内孔注入具に関するものである。
【背景技術】
【０００２】
例えば、液状治療薬の人体内挿入のための簡便な注入器具の提案は近年急速に行われている。
ここで、人体の体内孔に液状の薬剤などを安全かつ簡易に注入し、また体内孔周囲を清潔に保つことは、疾病予防のためにもきわめて重要である。
しかしながら、人体の各種体内孔に注入する所定の薬液注入は、直接人の手の作業で非常にわずらわしく容易ではない。
【０００３】
ところで、この種の薬液注入具としては、例えば特許文献１において開示されている。この薬液注入具は、先端に潤滑液流出口が形成されたプラスチックシリンダーを備えると共に前記シリンダー内に設けた押し込み棒を潤滑液流出口に向かって押し込む形式を採用しており、前記シリンダーの先端に充填した潤滑液を潤滑液流出口から流出させるようにしたものである。よって、これを用いると容易に潤滑剤が塗布できる。
【０００４】
しかしながら、上記薬液注入具は、一度使用したものがそのまま再度使用することが可能であるが故に、再使用された場合には不衛生であり、病気が感染する可能性があるという問題があった。
【先行技術文献】
【特許文献】
【０００５】
【特許文献１】特開２００１−１８７１５１号公報
【発明の開示】
【発明が解決しようとする課題】
【０００６】
かくして本発明は、前記従来の課題を解消するために創案されたものであり、注入具の使用に際しては、簡単な操作（操作片を折り曲げるなど）によって、注入準備ができ、注入準備ができた後、注入具の薬液を人の特定体内孔へ注入して使用でき、他人の手助けを借りることなく操作でき、さらに、一度使用した場合には、再び再利用できないような構造とし、もって病気の感染や衛生面が充分に考慮された体内孔注入具を提供することを目的とするものである。
【課題を解決するための手段】
【０００７】
本発明による体内孔注入具は、
外部開口を有する体内孔に挿入し、液剤を体内に注入可能とした体内孔挿入用の注入具であり、
先端部に注入孔が設けられた円筒パイプ状をなす挿入体と、前記挿入体の内部空間に設けられ、前記注入孔と連通する、液剤充填用の充填空間部と、を有する器具本体と、
前記充填空間部内で長手方向に向かい移動自在に取り付けられ、前記充填空間部に充填された前記液剤を前記注入孔から送出可能とした送出杆と、
を備え、
前記注入孔の外部側開口には、離脱可能にした密閉栓が取り付けられて、外部と連通する充填空間部が真空密閉されてなると共に、該密閉栓には離脱操作片が一体接続され、該離脱操作片の操作により前記密閉栓を注入孔から離脱させ、前記充填空間部の真空密閉状態を解除して前記送出杆の移動動作を可能とし、
体内孔挿入時には、前記器具本体を、注入孔が上方側となるよう略垂直方向に保持して挿入し、前記送出杆を注入孔側に押圧して液剤を注入孔から送出してなり、
前記充填空間部と送出杆との間には注入孔側方向への移動のみを可能とした仕切片を介在させた、
ことを特徴とし、
または、
外部開口を有する複数の体内孔に挿入可能とされ、前記外部開口を介して液剤を体内に注入可能とした体内孔挿入用の注入具であり、
略円錐形状に形成された先端部にノズル状の注入孔が設けられた円筒パイプ状をなす挿入体と、前記挿入体の内部空間に設けられ、前記注入孔と連通する、液剤充填用の充填空間部と、を有する器具本体と、
前記充填空間部内で長手方向に向かい移動自在に取り付けられ、前記充填空間部に充填された前記液剤を前記注入孔から送出可能とした送出杆と、
を備え、
前記注入孔の外部側開口には、離脱可能にした密閉栓が取り付けられて、外部と連通する充填空間部が真空密閉されてなると共に、該密閉栓には離脱操作片が一体接続され、該離脱操作片の操作により前記密閉栓を注入孔から離脱させ、前記充填空間部の真空密閉状態を解除して前記送出杆の移動動作を可能とし、
体内孔挿入時には、前記器具本体を、注入孔が上方側となるよう略垂直方向に保持して挿入し、前記送出杆を注入孔側に押圧して液剤を注入孔から送出してなり、
前記充填空間部と送出杆との間には注入孔側方向への移動のみを可能とした仕切片を介在させた、
ことを特徴とするものである。
【発明の効果】
【０００８】
本発明の体内孔注入具によれば、注入具の使用に際し、簡単な操作（操作片を折り曲げるなど）によって、注入の準備が迅速に行え、注入準備ができた後は、注入具の薬液を人の特定体内孔へ他人の手助けを借りることなく自らスムーズに操作して注入でき、さらに一度使用した後は、再び組み立て直して使用できない構成を採用し、あくまで一回使用の使い捨て注入具とし、もって病気の感染や衛生面に充分に考慮した体内孔注入具を提供できるとの優れた効果を奏する。
【図面の簡単な説明】
【０００９】
【図１】本発明の体内孔注入具の一実施例を説明する外観図である。
【図２】密閉栓の取り付け状態を説明する説明図である。
【図３】仕切り栓の一実施例を説明する斜視図である。
【図４】器具本体の一実施例を説明する斜視図である。
【図５】器具本体の一実施例を説明する一部破断した平面図である。
【発明を実施するための最良の形態】
【００１０】
以下に本発明を実施するための最良の形態としての実施例について詳細に説明する。
【実施例１】
【００１１】
図１は本発明による体内孔注入具１の外観図である。
この体内孔注入具１は、人体の外部開口を有する複数の体内孔のいずれかから挿入して液剤６を人体内に注入可能としたものである。
【００１２】
符号２は、前記体内孔へ挿入する先端箇所となる先端部を示す。該先端部２は、体内孔へ挿入しやすくするため略円錐形状に形成されており、その先端部２の頂部には、外側と連通するノズル状の注入孔３が設けられている。
そして、前記略円錐状をなす先端部２に連続して略円筒パイプ状をなす挿入体４が例えば一体成形されて設けられている。
【００１３】
そして、挿入体４の内部空間には、前記注入孔３と連通する、各種類の液剤６が充填される充填空間部５が設けられ、これら先端部２、挿入体４および充填空間部５などにより器具本体１４が形成されている。
【００１４】
符号９は、送出杆を示し、該送出杆９は、前記充填空間部５内で長手方向に向かい移動自在に取り付けられ、該送出杆９を移動させることにより前記充填空間部５に充填された各種の液剤６を前記注入孔３から送出できる様に構成されている。
【００１５】
また、前記注入孔３の外部側開口には、離脱可能にした密閉栓７が取り付けられて、前記注入孔３と連通する充填空間部５につき、液剤６が充填された状態で真空密閉されたものとなっている。ここで、前記液剤６の充填に際しては、若干空気などの気体１１が混入した状態で充填することが好ましい。理由については後述する。
【００１６】
さらに、前記密閉栓７には離脱操作片８が接続されており、該離脱操作片８を略直角方向へ折り曲げるなどの操作により前記密閉栓７を注入孔３から離脱できる構成としてある。
【００１７】
そして、前記密閉栓７を注入孔３から離脱させると、前記充填空間部５の真空密閉状態が解除され、前記の送出杆９が充填空間部５の長手方向への移動が可能とされる。
【００１８】
体内孔へ本注入具１を挿入する際には、前記器具本体を、注入孔３が上方側となるよう略垂直方向に保持して前記離脱操作片８を折り曲げ操作する。なぜなら、この離脱操作片８を折り曲げたと同時に密閉栓７が注入孔３から離脱し、充填空間部５の真空密閉状態が解放される。すると前記充填空間部５内にフル状態で液剤６を充填しておくと、前記の真空密閉状態が解かれたとき、液剤６を体内孔へ注入する前に外側へあふれてしまうおそれがある。よって若干空気などの液剤より軽い気体１１を充填しておけば、その気体１１が先に外側に排出されるため液剤６のあふれ出しを防止できるものとなる。
【００１９】
ところで、送出杆９の一端と、この送出杆９の一端が接する充填空間部５の端部との間には充填空間部５に充填された液剤６が挿入体４の送出杆取付側から漏れ出さないよう仕切り栓１０が取り付けられている。
【００２０】
よって、注入時には前記送出杆９を注入孔３側に移動させることにより、前記仕切り栓１０を同様に注入孔３側に移動させる。  
すると、充填空間部５内に充填されている液剤６に圧力が加わり、前記注入孔３から液剤６が送出されるものとなる。
【００２１】
尚、送出杆９と仕切り栓１０とは、例えば、仕切り栓１０に設けられた取付孔１２に送出杆９の先端突起１３が嵌って仮係止した状態となっており、送出杆９は簡単に引き抜くことができる構成になっている。そして、前記仕切り栓１０は注入孔３側には送出杆９の押し込みにより移動するが、逆方向には、前記仕切り栓１０の取付孔１２から送出杆９の先端突起１３が抜けて、送出杆９との接続が外れるため、仕切り栓１０は注入孔３側の反対方向には移動できない構成になっている。
【００２２】
以上において、本注入具の使用状態につき説明する。
本注入具１の使用前は図２のような状態になっている。すなわち、充填空間部５にあらかじめ、液剤６より比重の軽い空気などの気体１１を若干量加えた液剤６が充填されている。
【００２３】
注入孔３は、密閉栓７により塞がれて、前記充填空間部５は真空密閉状態になっている。送出杆９は挿入体４の後端側から挿入体４の充填空間部５内に挿入されているが、注入孔３が密閉栓７により塞がれているため、送出杆９は、押し込み、あるいは引き抜きなどの移動操作ができない状態になっている。
尚、前記密閉栓７には離脱操作片８が挿入体４の長手方向の延長方向に延出するよう繋がれて取り付けられている。
【００２４】
体内孔への挿入に際しては、注入孔３が上方側となるよう略垂直方向に一方の手で保持しておく。その状態から、他方の手で前記離脱操作片８につき折り曲げの操作を行う。すると、この離脱操作片８の折り曲げと同時に密閉栓７が注入孔３から離脱する。注入孔３から密閉栓７が外れると、充填空間部５の真空密閉状態が解かれる。
【００２５】
真空密閉状態が解かれたとき、若干空気などの液剤６より軽い気体１１が先に外側に排出される。よって液剤６が急に外部にあふれ出すことがない。
【００２６】
上記の状態にしてから所定の体内孔へ挿入し、液剤６を所定量注入する。
前述のごとく、送出杆９と仕切り栓１０とは、例えば、仕切り栓１０に設けられた取付孔１２に送出杆９の先端突起１３が嵌って仮係止した状態となっており、送出杆９は簡単に引き抜くことができる構成になっている。
【００２７】
しかしながら、前記仕切り栓１０はそのままその箇所でとどまる構成となっている。よって、前記送出杆９を引き抜き、挿入体４を体内孔から引き抜いて注入作業は終了となる。
【００２８】
ここで、本注入具１の特徴は、仕切り栓１０は注入孔３側には送出杆９の押し込みにより移動するが、逆方向には、送出杆９との接続が外れるため移動できないことである。
【００２９】
このような構成を採用してあるため、本発明の注入具１の使用後、再び再利用しようとしても、決して再利用ができないのである。すなわち、充填空間部５内に留まっている仕切り栓１０を取り出すことができないからである。
また、いったん離脱した密閉栓７も注入孔３へ再び接続するのは困難だからである。
【００３０】
よって、本発明の注入具１は、一度使用した後、再使用するために再び組み立てることができない。従って、前述の様に、一度使用した後は、再び組み立て直して使用できない構成を採用し、あくまで一回使用の使い捨て注入具としてあるため、病気の感染や衛生面に充分考慮した体内孔注入具を提供できるのである。
【符号の説明】
【００３１】
１     体内孔注入具
２     先端部
３     注入孔
４     挿入体
５     充填空間部
６     液剤
７     密閉栓
８     離脱操作片
９     送出杆
１０   仕切り栓
１１   気体
１２   取付孔
１３   先端突起
１４   器具本体
【図１】
2018057574.tif 000003
【図２】
2018057574.tif 000004
【図３】
2018057574.tif 000005
【図４】
2018057574.tif 000006
【図５】
2018057574.tif 000007
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
外部開口を有する体内孔に挿入し、液剤を体内に注入可能とした体内孔挿入用の注入具であり、  先端部に注入孔が設けられた円筒パイプ状をなす挿入体と、前記挿入体の内部空間に設けられ、前記注入孔と連通する、液剤充填用の充填空間部と、を有する器具本体と、  前記充填空間部内で長手方向に向かい移動自在に取り付けられ、前記充填空間部に充填された前記液剤を前記注入孔から送出可能とした送出杆と、該送出杆の先端側に配置され、送出杆に押されて前記注入孔側へのみ移動する仕切り栓とを備え、 前記送出杆と仕切り栓とは、仕切り栓に設けられた取付孔に送出杆の先端突起が嵌って仮係止した状態とされて、送出杆は、仕切り栓が前記注入孔側と反対側方向に移動しないで引き抜き可能とされ、 前記仕切り栓は、注入孔側への送出杆の押し込みにより移動可能とされると共に、送出杆の引き抜き時には、仕切り栓の取付孔から送出杆の先端突起が抜け、そのままその引き抜き箇所でとどまる構成とされ、  前記注入孔の外部側開口には、円状の密閉栓が接続片を介して前記挿入体と一体化されて、外部と連通する充填空間部が真空密閉可能とされてなると共に、該密閉栓には、該密閉栓の略中央から上方に突出して形成された離脱操作片が一体接続され、該離脱操作片を突出方向横側からの折り曲げ操作により、前記密閉栓を挿入体から離脱させ、前記充填空間部の真空密閉状態を解除して前記送出杆の移動動作を可能とし、  体内孔挿入時には、前記器具本体を、注入孔が上方側となるよう略垂直方向に保持して挿入し、前記送出杆を注入孔側に押圧して液剤を注入孔から送出してなり、 液剤送出後は、前記仕切り栓が充填空間部から引き抜けずにそのまま引き抜き箇所で留まる構成と共に、前記離脱操作片を折り曲げて密閉栓を挿入体より離脱させた後、再び密閉栓を挿入体に一体化できない構成と相まって、一度使用した後の体内孔注入具の再利用を不可とする構成とした、  ことを特徴とした体内孔注入具。 
【請求項２】
外部開口を有する体内孔に挿入し、液剤を体内に注入可能とした体内孔挿入用の注入具であり、  略円錐形状に形成された先端部にノズル状の注入孔が設けられた円筒パイプ状をなす挿入体と、前記挿入体の内部空間に設けられ、前記注入孔と連通する、液剤充填用の充填空間部と、を有する器具本体と、  前記充填空間部内で長手方向に向かい移動自在に取り付けられ、前記充填空間部に充填された前記液剤を前記注入孔から送出可能とした送出杆と、該送出杆の先端側に配置され、送出杆に押されて前記注入孔側へのみ移動する仕切り栓とを備え、 前記送出杆と仕切り栓とは、仕切り栓に設けられた取付孔に送出杆の先端突起が嵌って仮係止した状態とされて、送出杆は、仕切り栓が前記注入孔側と反対側方向に移動しないで引き抜き可能とされ、 前記仕切り栓は、注入孔側への送出杆の押し込みにより移動可能とされると共に、送出杆の引き抜き時には、仕切り栓の取付孔から送出杆の先端突起が抜け、そのままその引き抜き箇所でとどまる構成とされ、  前記注入孔の外部側開口には、円状の密閉栓が接続片を介して前記挿入体と一体化されて、外部と連通する充填空間部が真空密閉可能とされてなると共に、該密閉栓には、該密閉栓の略中央から上方に突出して形成された離脱操作片が一体接続され、該離脱操作片を突出方向横側からの折り曲げ操作により、前記密閉栓を挿入体から離脱させ、前記充填空間部の真空密閉状態を解除して前記送出杆の移動動作を可能とし、  体内孔挿入時には、前記器具本体を、注入孔が上方側となるよう略垂直方向に保持して挿入し、前記送出杆を注入孔側に押圧して液剤を注入孔から送出してなり、 液剤送出後は、前記仕切り栓が充填空間部から引き抜けずにそのまま引き抜き箇所で留まる構成と共に、前記離脱操作片を折り曲げて密閉栓を注入孔より離脱させた後、再び密閉栓を挿入体に一体化できない構成と相まって、一度使用した後の体内孔注入具の再利用を不可とする構成とした、  ことを特徴とした体内孔注入具。 
【手続補正２】
【補正対象書類名】明細書
【補正対象項目名】全文
【補正方法】変更
【補正の内容】
【発明の詳細な説明】
【技術分野】
【０００１】  本発明は、薬液や潤滑剤など薬液の注入具に係り、特に、内部に設けられた充填空間部に予め充填した所定の薬液を人の特定体内孔に注入できる体内孔注入具に関するものである。 
【背景技術】
【０００２】  例えば、液状治療薬の人体内挿入のための簡便な注入器具の提案は近年急速に行われている。  ここで、人体の体内孔に液状の薬剤などを安全かつ簡易に注入し、また体内孔周囲を清潔に保つことは、疾病予防のためにもきわめて重要である。  しかしながら、人体の各種体内孔に注入する所定の薬液注入は、直接人の手の作業で非常にわずらわしく容易ではない。【０００３】  ところで、この種の薬液注入具としては、例えば特許文献１において開示されている。この薬液注入具は、先端に潤滑液流出口が形成されたプラスチックシリンダーを備えると共に前記シリンダー内に設けた押し込み棒を潤滑液流出口に向かって押し込む形式を採用しており、前記シリンダーの先端に充填した潤滑液を潤滑液流出口から流出させるようにしたものである。よって、これを用いると容易に潤滑剤が塗布できる。【０００４】  しかしながら、上記薬液注入具は、一度使用したものがそのまま再度使用することが可能であるが故に、再使用された場合には不衛生であり、病気が感染する可能性があるという問題があった。 
【先行技術文献】
【特許文献】
【０００５】
【特許文献１】特開２００１−１８７１５１号公報
【発明の開示】
【発明が解決しようとする課題】
【０００６】  かくして本発明は、前記従来の課題を解消するために創案されたものであり、注入具の使用に際しては、簡単な操作（操作片を折り曲げるなど）によって、注入準備ができ、注入準備ができた後、注入具の薬液を人の特定体内孔へ注入して使用でき、他人の手助けを借りることなく操作でき、さらに、一度使用した場合には、再び再利用できないような構造とし、もって病気の感染や衛生面が充分に考慮された体内孔注入具を提供することを目的とするものである。 
【課題を解決するための手段】
【０００７】  本発明による体内孔注入具は、  外部開口を有する体内孔に挿入し、液剤を体内に注入可能とした体内孔挿入用の注入具であり、  先端部に注入孔が設けられた円筒パイプ状をなす挿入体と、前記挿入体の内部空間に設けられ、前記注入孔と連通する、液剤充填用の充填空間部と、を有する器具本体と、  前記充填空間部内で長手方向に向かい移動自在に取り付けられ、前記充填空間部に充填された前記液剤を前記注入孔から送出可能とした送出杆と、該送出杆の先端側に配置され、送出杆に押されて前記注入孔側へのみ移動する仕切り栓とを備え、 前記送出杆と仕切り栓とは、仕切り栓に設けられた取付孔に送出杆の先端突起が嵌って仮係止した状態とされて、送出杆は、仕切り栓が前記注入孔側と反対側方向に移動しないで引き抜き可能とされ、 前記仕切り栓は、注入孔側への送出杆の押し込みにより移動可能とされると共に、送出杆の引き抜き時には、仕切り栓の取付孔から送出杆の先端突起が抜け、そのままその引き抜き箇所でとどまる構成とされ、  前記注入孔の外部側開口には、円状の密閉栓が接続片を介して前記挿入体と一体化されて、外部と連通する充填空間部が真空密閉可能とされてなると共に、該密閉栓には、該密閉栓の略中央から上方に突出して形成された離脱操作片が一体接続され、該離脱操作片を突出方向横側からの折り曲げ操作により、前記密閉栓を挿入体から離脱させ、前記充填空間部の真空密閉状態を解除して前記送出杆の移動動作を可能とし、  体内孔挿入時には、前記器具本体を、注入孔が上方側となるよう略垂直方向に保持して挿入し、前記送出杆を注入孔側に押圧して液剤を注入孔から送出してなり、 液剤送出後は、前記仕切り栓が充填空間部から引き抜けずにそのまま引き抜き箇所で留まる構成と共に、前記離脱操作片を折り曲げて密閉栓を挿入体より離脱させた後、再び密閉栓を挿入体に一体化できない構成と相まって、一度使用した後の体内孔注入具の再利用を不可とする構成とした、  ことを特徴とし、  または、  外部開口を有する体内孔に挿入し、液剤を体内に注入可能とした体内孔挿入用の注入具であり、  略円錐形状に形成された先端部にノズル状の注入孔が設けられた円筒パイプ状をなす挿入体と、前記挿入体の内部空間に設けられ、前記注入孔と連通する、液剤充填用の充填空間部と、を有する器具本体と、  前記充填空間部内で長手方向に向かい移動自在に取り付けられ、前記充填空間部に充填された前記液剤を前記注入孔から送出可能とした送出杆と、該送出杆の先端側に配置され、送出杆に押されて前記注入孔側へのみ移動する仕切り栓とを備え、 前記送出杆と仕切り栓とは、仕切り栓に設けられた取付孔に送出杆の先端突起が嵌って仮係止した状態とされて、送出杆は、仕切り栓が前記注入孔側と反対側方向に移動しないで引き抜き可能とされ、 前記仕切り栓は、注入孔側への送出杆の押し込みにより移動可能とされると共に、送出杆の引き抜き時には、仕切り栓の取付孔から送出杆の先端突起が抜け、そのままその引き抜き箇所でとどまる構成とされ、  前記注入孔の外部側開口には、円状の密閉栓が接続片を介して前記挿入体と一体化されて、外部と連通する充填空間部が真空密閉可能とされてなると共に、該密閉栓には、該密閉栓の略中央か���上方に突出して形成された離脱操作片が一体接続され、該離脱操作片を突出方向横側からの折り曲げ操作により、前記密閉栓を挿入体から離脱させ、前記充填空間部の真空密閉状態を解除して前記送出杆の移動動作を可能とし、  体内孔挿入時には、前記器具本体を、注入孔が上方側となるよう略垂直方向に保持して挿入し、前記送出杆を注入孔側に押圧して液剤を注入孔から送出してなり、 液剤送出後は、前記仕切り栓が充填空間部から引き抜けずにそのまま引き抜き箇所で留まる構成と共に、前記離脱操作片を折り曲げて密閉栓を挿入体より離脱させた後、再び密閉栓を挿入体に一体化できない構成と相まって、一度使用した後の体内孔注入具の再利用を不可とする構成とした、  ことを特徴とするものである。 
【発明の効果】
【０００８】  本発明の体内孔注入具によれば、注入具の使用に際し、簡単な操作（操作片を折り曲げるなど）によって、注入の準備が迅速に行え、注入準備ができた後は、注入具の薬液を人の特定体内孔へ他人の手助けを借りることなく自らスムーズに操作して注入でき、さらに一度使用した後は、再び組み立て直して使用できない構成を採用し、あくまで一回使用の使い捨て注入具とし、もって病気の感染や衛生面に充分に考慮した体内孔注入具を提供できるとの優れた効果を奏する。 
【図面の簡単な説明】
【０００９】
【図１】本発明の体内孔注入具の一実施例を説明する外観図である。
【図２】密閉栓の取り付け状態を説明する説明図である。
【図３】仕切り栓の一実施例を説明する斜視図である。
【図４】器具本体の一実施例を説明する斜視図である。
【図５】器具本体の一実施例を説明する一部破断した平面図である。
【発明を実施するための最良の形態】
【００１０】  以下に本発明を実施するための最良の形態としての実施例について詳細に説明する。
【実施例１】
【００１１】  図１は本発明による体内孔注入具１の外観図である。  この体内孔注入具１は、人体の外部開口を有する複数の体内孔のいずれかから挿入して液剤６を人体内に注入可能としたものである。【００１２】  符号２は、前記体内孔へ挿入する先端箇所となる先端部を示す。該先端部２は、体内孔へ挿入しやすくするため略円錐形状に形成されており、その先端部２の頂部には、外側と連通するノズル状の注入孔３が設けられている。  そして、前記略円錐状をなす先端部２に連続して略円筒パイプ状をなす挿入体４が例えば一体成形されて設けられている。【００１３】  そして、挿入体４の内部空間には、前記注入孔３と連通する、各種類の液剤６が充填される充填空間部５が設けられ、これら先端部２、挿入体４および充填空間部５などにより器具本体１４が形成されている。【００１４】  符号９は、送出杆を示し、該送出杆９は、前記充填空間部５内で長手方向に向かい移動自在に取り付けられ、該送出杆９を移動させることにより前記充填空間部５に充填された各種の液剤６を前記注入孔３から送出できる様に構成されている。【００１５】  また、前記注入孔３の外部側開口には、離脱可能にした密閉栓７が取り付けられて、前記注入孔３と連通する充填空間部５につき、液剤６が充填された状態で真空密閉されたものとなっている。ここで、前記液剤６の充填に際しては、若干空気などの気体１１が混入した状態で充填することが好ましい。理由については後述する。【００１６】  さらに、前記密閉栓７には離脱操作片８が接続されており、該離脱操作片８を略直角方向へ折り曲げるなどの操作により前記密閉栓７を注入孔３から離脱できる構成としてある。【００１７】  そして、前記密閉栓７を注入孔３から離脱させると、前記充填空間部５の真空密閉状態が解除され、前記の送出杆９が充填空間部５の長手方向への移動が可能とされる。【００１８】  体内孔へ本注入具１を挿入する際には、前記器具本体を、注入孔３が上方側となるよう略垂直方向に保持して前記離脱操作片８を折り曲げ操作する。なぜなら、この離脱操作片８を折り曲げたと同時に密閉栓７が注入孔３から離脱し、充填空間部５の真空密閉状態が解放される。すると前記充填空間部５内にフル状態で液剤６を充填しておくと、前記の真空密閉状態が解かれたとき、液剤６を体内孔へ注入する前に外側へあふれてしまうおそれがある。よって若干空気などの液剤より軽い気体１１を充填しておけば、その気体１１が先に外側に排出されるため液剤６のあふれ出しを防止できるものとなる。【００１９】  ところで、送出杆９の一端と、この送出杆９の一端が接する充填空間部５の端部との間には充填空間部５に充填された液剤６が挿入体４の送出杆取付側から漏れ出さないよう仕切り栓１０が取り付けられている。【００２０】  よって、注入時には前記送出杆９を注入孔３側に移動させることにより、前記仕切り栓１０を同様に注入孔３側に移動させる。    すると、充填空間部５内に充填されている液剤６に圧力が加わり、前記注入孔３から液剤６が送出されるものとなる。【００２１】  尚、送出杆９と仕切り栓１０とは、例えば、仕切り栓１０に設けられた取付孔１２に送出杆９の先端突起１３が嵌って仮係止した状態となっており、送出杆９は簡単に引き抜くことができる構成になっている。そして、前記仕切り栓１０は注入孔３側には送出杆９の押し込みにより移動するが、逆方向には、前記仕切り栓１０の取付孔１２から送出杆９の先端突起１３が抜けて、送出杆９との接続が外れるため、仕切り栓１０は注入孔３側の反対方向には移動できない構成になっている。【００２２】  以上において、本注入具の使用状態につき説明する。  本注入具１の使用前は図２のような状態になっている。すなわち、充填空間部５にあらかじめ、液剤６より比重の軽い空気などの気体１１を若干量加えた液剤６が充填されている。【００２３】  注入孔３は、密閉栓７により塞がれて、前記充填空間部５は真空密閉状態になっている。送出杆９は挿入体４の後端側から挿入体４の充填空間部５内に挿入されているが、注入孔３が密閉栓７により塞がれているため、送出杆９は、押し込み、あるいは引き抜きなどの移動操作ができない状態になっている。  尚、前記密閉栓７には離脱操作片８が挿入体４の長手方向の延長方向に延出するよう繋がれて取り付けられている。【００２４】  体内孔への挿入に際しては、注入孔３が上方側となるよう略垂直方向に一方の手で保持しておく。その状態から、他方の手で前記離脱操作片８につき折り曲げの操作を行う。すると、この離脱操作片８の折り曲げと同時に密閉栓７が注入孔３から離脱する。注入孔３から密閉栓７が外れると、充填空間部５の真空密閉状態が解かれる。【００２５】  真空密閉状態が解かれたとき、若干空気などの液剤６より軽い気体１１が先に外側に排出される。よって液剤６が急に外部にあふれ出すことがない。【００２６】  上記の状態にしてから所定の体内孔へ挿入し、液剤６を所定量注入する。  前述のごとく、送出杆９と仕切り栓１０とは、例えば、仕切り栓１０に設けられた取付孔１２に送出杆９の先端突起１３が嵌って仮係止した状態となっており、送出杆９は簡単に引き抜くことができる構成になっている。【００２７】  しかしながら、前記仕切り栓１０はそのままその箇所でとどまる構成となっている。よって、前記送出杆９を引き抜き、挿入体４を体内孔から引き抜いて注入作業は終了となる。【００２８】  ここで、本注入具１の特徴は、仕切り栓１０は注入孔３側には送出杆９の押し込みにより移動するが、逆方向には、送出杆９との接続が外れるため移動できないことである。【００２９】  このような構成を採用してあるため、本発明の注入具１の使用後、再び再利用しようとしても、決して再利用ができないのである。すなわち、充填空間部５内に留まっている仕切り栓１０を取り出すことができないからである。  また、いったん離脱した密閉栓７も注入孔３へ再び接続するのは困難だからである。【００３０】  よって、本発明の注入具１は、一度使用した後、再使用するために再び組み立てることができない。従って、前述の様に、一度使用した後は、再び組み立て直して使用できない構成を採用し、あくまで一回使用の使い捨て注入具としてあるため、病気の感染や衛生面に充分考慮した体内孔注入具を提供できるのである。 
【符号の説明】
【００３１】１     体内孔注入具２     先端部３     注入孔４     挿入体５     充填空間部６     液剤７     密閉栓８     離脱操作片９     送出杆１０   仕切り栓１１   気体１２   取付孔１３   先端突起１４   器具本体